(57)【要約】      （修正有）【課題】回想法に対応させた音声付き映像を被介護者に視聴させるための介護施設における被介護者のための映像提供システムを提供する。【解決手段】各被介護者に関する音声データ付きの個人別映像データと、音声データ付きの近隣周辺映像データと、音声データ付きの回想映像データとの選択的な出力が可能なサーバー２１と、該サーバー２１に保持させた各データのうちから選択された今回所望データの送信を受けてその対応映像を音声とともに出力する映像表示装置３１とを、構内ネットワーク４１を介して相互に接続されて前記被介護者の利用に供される介護施設１１内に設置する。また、映像表示装置３１には、サーバー２１側へのアクセス状況に応じて個人別映像データと近隣周辺映像データと回想映像データとのいずれかに基づく音声付きの対応映像として出力して被介護者による視聴を可能とした。【選択図】図１
0003172100.tif 000002
【実用新案登録請求の範囲】
【請求項１】
介護施設側が取得した個々の被介護者に関する音声データ付きの個人別映像データと音声データ付きの近隣周辺映像データと、外部から提供される懐かしさに富む音声データ付きの回想映像データとを選択的に出力可能なデータベースとして保持させたサーバーと、該サーバーに保持させた前記個人別映像データと前記近隣周辺映像データと前記回想映像データとのうちから選択された今回所望データの送信を受けてその対応映像を音声とともに出力する映像表示装置とが、構内ネットワークを介して相互に接続されて前記被介護者の利用に供される介護施設内に設置され、
前記映像表示装置には、前記サーバーへのアクセス状況に応じて前記個人別映像データと前記近隣周辺映像データと前記回想映像データとのいずれかに基づく音声付きの対応映像として出力して前記被介護者による視聴を可能としたことを特徴とする介護施設における被介護者のための映像提供システム。
【請求項２】
前記構内ネットワークには、ワイヤレス構内ネットワークを含む請求項１に記載の介護施設における被介護者のための映像提供システム。
【請求項３】
前記映像表示装置は、テレビジョン受像機、ディスプレイ付きのパーソナルコンピュータ、タブレット型モニタおよびメガネ型ディスプレイのいずれかである請求項１または２に記載の介護施設における被介護者のための映像提供システム。
【請求項４】
前記被介護者は、グループ回想法が適用される一方の群と個人回想法が適用される他方の群とで構成され、
前記一方の群に対しては、前記テレビジョン受像機を介して前記個人別映像と前記近隣周辺映像と前記回想映像とのいずれかを選択的に出力してその集団視聴を可能とし、
前記他方の群に対しては、前記個人別映像と前記近隣周辺映像と前記回想映像とのいずれかを前記パーソナルコンピュータと前記タブレット型モニタと前記メガネ型ディスプレイとの別に出力してその個別視聴を可能とした請求項３に記載の介護施設における被介護者のための映像提供システム。
【請求項５】
前記被介護者は、前記介護施設内で言語的コミュニケーション可能にデイサービスを受ける認知症患者である請求項１ないし４のいずれかに記載の介護施設における被介護者のための映像提供システム。
【考案の詳細な説明】
【技術分野】
【０００１】
本考案は、回想法による心理療法に適用できる介護施設における被介護者のための映像提供システムに関する技術である。
【背景技術】
【０００２】
高齢化社会の到来は、必然的に要介護認定を受ける高齢者の増加を招いている。そして、このような要介護認定を受ける高齢者のなかには、軽度の認知症患者も多く含まれている。しかも、軽度の認知症患者の場合には、日常生活に支障をきたすことが少ないだけでなく、言語的コミュニケーションを図ることもできるので、通常、被介護者としてデイサービスを受けるために近隣の介護施設に通所していることが多い。
【０００３】
一方、被介護者に対しデイサービスを提供する介護施設には、少なくない人数の介護者が在職してはいるものの、利用する被介護者の数に対応し得る人員の確保が容易ではないばかりでなく、提供サービスの内容も多岐にわたることからその介護業務も繁忙を極め、介護者が受ける精神的・肉体的な負担が大きなものとならざるを得ないのが実情である。
【０００４】
ところで、被介護者を受け入れる介護施設では、デイサービスの一環として心理療法のひとつである回想法、つまり、その原点が「回想は自分の人生を据え直す積極的な心の動きである」とすることにあるとされる回想法を取り入れ、被介護者に対する精神保健の維持向上手段として活用している例も多く見受けられる。
【０００５】
また、上記回想法には、大別するとグループ回想法と個人回想法とがあるとされている。そのうちのグループ回想法は、被介護者が昔懐かしい映像をグループで鑑賞して話題性・会話のきっかけとしながら過去を振り返ることで、個々の被介護者の記憶を刺激して再生させ、活性化させようとする手法である。また、個人回想法は、被介護者がカウンセラーと１対１で向かい合い、過去の懐かしい出来事や人物などの関する雑誌、新聞の切り抜き、写真などを利用した会話によるやりとりを通じて被介護者の記憶を刺激し、活性化させようとする手法である。
【０００６】
また、好適な回想法を取り入れた映像を被介護者に対し提供する技術としては、例えば下記特許文献１に開示されている「回想法のための映像システム及び記録媒体」が既に提案されている。
【先行技術文献】
【特許文献】
【０００７】
【特許文献１】特開２００２−１０２０５号公報
【０００８】
すなわち、特許文献１に開示されている映像システムは、回想を促す視覚的資料（写真、絵画、新聞・雑誌等の記事、映像フィルム等）をデジタル信号化して映像情報とし、該映像情報を種類別に記憶する記憶手段（磁気ディスク、光ディスク、ＤＶＤ）と、該記憶手段に記憶された映像情報を種類別に選択して再生可能な再生手段（ＤＶＤプレーヤー、パーソナルコンピュータ等）、該再生手段により再生された映像情報を表示可能な表示手段（モニター、ディスプレイ等）とで構成されている。
【０００９】
また、前記記憶手段には、前記映像情報に組み合わされる音情報を記憶させ、前記表示手段が備える音出力手段を介して前記音情報を出力させることもできるようになっている。
【００１０】
このため、特許文献１の開示技術によれば、回想を促す視覚的資料を容易かつ迅速に編集することができるほか、対象者（被介護者）の反応に合わせた映像等を提示して回想法の実施による効果を一層高めることができることになる。
【考案の概要】
【考案が解決しようとする課題】
【００１１】
しかし、上記特許文献１に開示されている映像システムは、個対個の関係で回想を促す視覚的資料を提示することができるに止まり、被介護者の利用に供される介護施設内に設置して複数の被介護者に対しグループ回想法と個人回想法とのいずれの回想法にもよく対応させて映像等を視聴させることができるシステムとはなっていない不都合があった。
【００１２】
本考案は、従来技術にみられた上記課題に鑑み、介護施設内に設置して複数の被介護者に対しグループ回想法と個人回想法とのいずれの回想法にもよく対応させた音声付き映像を視聴させるようにした介護施設における被介護者のための映像提供システムを提供することにその目的がある。
【課題を解決するための手段】
【００１３】
本考案は、上記目的を達成すべくなされたものであり、介護施設側が取得した個々の被介護者に関する音声データ付きの個人別映像データと音声データ付きの近隣周辺映像データと、外部から提供される懐かしさに富む音声データ付きの回想映像データとを選択的に出力可能なデータベースとして保持させたサーバーと、該サーバーに保持させた前記個人別映像データと前記近隣周辺映像データと前記回想映像データとのうちから選択された今回所望データの送信を受けてその対応映像を音声とともに出力する映像表示装置とが、構内ネットワークを介して相互に接続されて前記被介護者の利用に供される介護施設内に設置され、前記映像表示装置には、前記サーバーへのアクセス状況に応じて前記個人別映像データと前記近隣周辺映像データと前記回想映像データとのいずれかに基づく音声付きの対応映像として出力して前記被介護者による視聴を可能としたことを最も主要な特徴とする。この場合、前記構内ネットワークには、ワイヤレス構内ネットワークを含めることができる。
【００１４】
また、前記映像表示装置としては、テレビジョン受像機、ディスプレイ付きのパーソナルコンピュータ、タブレット型モニタおよびメガネ型ディスプレイのうちのいずれかを用いることができる。
【００１５】
さらに、前記被介護者は、グループ回想法が適用される一方の群と個人回想法が適用される他方の群とで構成され、前記一方の群に対しては、前記テレビジョン受像機を介して前記個人別映像と前記近隣周辺映像と前記回想映像とのいずれかを選択的に出力してその集団視聴を可能とし、前記他方の群に対しては、前記個人別映像と前記近隣周辺映像と前記回想映像とのいずれかを前記パーソナルコンピュータと前記タブレット型モニタと前記メガネ型ディスプレイとの別に出力してその個別視聴を可能ととするのが好ましい。さらにまた、前記被介護者は、前記介護施設内で言語的コミュニケーション可能にデイサービスを受け得る認知症患者であるのが望ましい。
【考案の効果】
【００１６】
本考案のうち、請求項１の考案によれば、被介護者の利用に供される介護施設内に設置されているサーバーと映像表示装置とが構内ネットワークを介して相互に接続されているので、サーバーにデータベースとして保持させてある音声データ付きの個人別映像データと音声データ付きの近隣周辺映像データと音声データ付きの回想映像データとを、所望に応じて選択的に映像表示装置に出力させて被介護者に視聴させることができる。
【００１７】
このため、各被介護者は、映像表示装置に出力される音声付きの映像を興味をもって視聴することで、自らの来し方を回想するなどして過去の記憶が刺激されてこれを再生させたり活性化させたりすることができる。
【００１８】
しかも、被介護者が音声付き映像を視聴している間は、介護者も介護作業から開放されて他の作業に従事したり休息をとったりすることができるので、作業効率を高めたり、身体的・精神的な負担を軽減することができる。
【００１９】
請求項２の考案によれば、構内ネットワークをワイヤレス構内ネットワークにより構築することができるので、映像受像装置を介護施設内の所望に応じた適宜の場所に移動して自由に設置することができる。
【００２０】
請求項３の考案によれば、映像表示装置としてテレビジョン受像機、ディスプレイ付きのパーソナルコンピュータ、タブレット型モニタおよびメガネ型ディスプレイのいずれか用いることができるので、被介護者の具体的状況に応じた最適な視聴環境を提供することができる。
【００２１】
請求項４の考案によれば、グループ回想法と個人回想法とのいずれかの回想手法に応じて、テレビジョン受像機による集団視聴ができたり、パーソナルコンピュータとタブレット型モニタとメガネ型ディスプレイとの別での個別視聴ができるので、被介護者の症状や所望に応じたよりきめ細かなサービスを提供することができる。
【００２２】
請求項５の考案によれば、介護施設内で言語的コミュニケーション可能にデイサービスを受ける認知症患者を被介護者とすることで、回想法による記憶への刺激も効果的に与えることができるので、各被介護者の記憶の再生や活性化をより確実に図ることができる。
【図面の簡単な説明】
【００２３】
【図１】本考案のシステム構成例を模式的に示すブロック図。
【考案を実施するための形態】
【００２４】
図１によれば、システムの全体は、選択的な出力が可能な音声付き映像データ等をデータベースとして保持させたサーバー２１と、該サーバー２１に保持させた映像に関するデータベースから適宜選択された今回所望データの送信を受けてその対応映像を音声とともに出力する映像表示装置３１とを、被介護者の利用に供される介護施設１１内に構築された構内ネットワーク４１を介して相互に接続して設置することにより構成されている。
【００２５】
この場合、サーバー２１には、介護施設１１側で取得したデータである個々の被介護者に関する音声データ付きの個人別映像データと音声データ付きの近隣周辺映像データとのほか、外部から提供される懐かしさに富む音声データ付きの回想映像データが映像に関するデータベースとして保持されている。
【００２６】
これらのデータのうち、音声データ付きの個人別映像データは、個々の被介護者のプロフィールを明らかにするためにカメラ等を用いて介護施設１１側で作成してサーバー２１側に保持され、被介護者の自己紹介用の映像データとして用いられることになる。
【００２７】
また、音声データ付きの近隣周辺映像データは、介護施設１１の近隣で催されるイベント風景や介護施設１１の近隣風景をカメラ等を用いて介護施設１１側で作成してサーバー２１側に説明のための音声データとともに保持され、例えば５分間隔というように適宜の間隔で区切って入浴待機時間や送迎待機時間などの待ち時間を利用して被介護者に対し飽きないように視聴させるために用いられることになる。なお、音声データ付きの近隣周辺映像データには、当該介護施設からのお知らせとして、個々人または全員に対する連絡事項、お願いごと、生活上の目標、介護施設に対する要望の有無、介護者の自己紹介、近隣地域の行事や食べ物に関する情報、提供できる映像ライブラリーの案内等の必要情報も含ませておくことができる。
【００２８】
さらに、音声データ付きの回想映像データは、音声データ付きの個人別映像データから明らかになる個々の被介護者の年代、地域、趣味、志向、人生観、家族構成、年齢などとの関係で最適なコンテンツを選択して被介護者が鑑賞できるように、多岐にわたる回想映像データの提供を外部から受け、これらを回想映像ライブラリーとしてサーバー２１側に音声データとともに保持させ、視聴者である被介護者に対し映像と音声とで呼びかけることにより臨場感を伴ったバーチャルな参加体験を経験させるために用いられることになる。なお、回想映像データとしては、懐かしの地域映像、懐かしの年代別の映像、旅行風景映像、過去のニュース映像、懐かしの歌謡映像、懐かしのテレビ映像、懐かしの映画等をデータ化してサーバー２１に保持させることになる。
【００２９】
また、サーバー２１は、機密情報、著作権および個人情報を保護するため、ファイルの自動暗号化による情報セキュリティ対策が施されており、その管理運営は、例えば介護施設１１に在職する特定人をシステム管理者とすることで行われることになる。
【００３０】
一方、映像表示装置３１としては、テレビジョン受像機３２、ディスプレイ３３ａ付きのパーソナルコンピュータ３３、タブレット型モニタ３４およびメガネ型ディスプレイ３５を好適に用いることができる。
【００３１】
このうち、テレビジョン受像機３２としては、グループ回想法に必要な視聴覚手段として主に利用する関係上、比較的大型な画面を備える液晶表示テレビジョンなどを好適に用いることができる。
【００３２】
また、ディスプレイ３３ａ付きのパーソナルコンピュータ３３としては、設置スペースとの関係からノート型パソコンを好適に用いることができるが、場合によってはディスクトップ型パソコンを用いることもできる。さらに、タブレット型モニタ３４としては、液晶ペンタブレットモニタなどを好適に用いることができる。この場合、タブレット型モニタ３４は、パーソナルコンピュータ３３側に接続して映像が送られ、該パーソナルコンピュータ３３が備えるイヤホンを通じて音声も聴取できるようになっている。
【００３３】
また、メガネ型ディスプレイ３５は、ディスプレイ３３ａ付きのパーソナルコンピュータ３３側に接続した状態のもとで使用されるものであり、例えば網膜に直接映像を投影するメガネ型シースルーディスプレイ（例えば、ブラザー工業社製の「ＡｉＲＳｃｏｕｔｅｒ」）や、３Ｄ立体映像への対応が可能な構造を備えるもの（例えば、カールツアイス社製の「ｃｉｎｅｍｉｚｅｒ  ｐｌｕｓ」）などを好適に用いることができる。この場合、音声は、メガネ型ディスプレイ３５側に備えられているイヤホンを通じて聴取することができることになる。
【００３４】
このような構成からなるサーバー２１と映像表示装置３１とは、ルータ４３を用いたワイヤレス構内ネットワーク（例えば「無線ＬＡＮ」）を含む構内ネットワーク（例えば「ＬＡＮ」）４１を介して相互に接続された状態のもとで介護施設１１内に設置されている。
【００３５】
次に、上記構成からなる本考案の作用効果を、まず、グループ回想法に適用させる場合について説明すれば、介護施設１１におけるシステム管理者からの入力操作によりサーバー２１から構内ネットワーク４１を介して映像表示装置３１のひとつであるテレビジョン受像機３２に対し音声データ付きの近隣周辺映像データや音声データ付きの回想映像データが送られ、これら対応する映像が音声とともに出力表示される。
【００３６】
このとき、グループ回想法を受ける複数の被介護者は、椅子に座りながらテレビジョン受像機３２が設置されている介護施設１１内で出力表示されている回想映像を音声とともに視聴し、その内容に触発された事柄を話題にして他の被介護者と会話してコミュニケーションをとることにより、自分の存在の意味や人生の歴史を見つめ直すことがで改めて自尊心が持てる心理状況を得ることができる。
【００３７】
一方、本考案の作用効果を個人回想法に適用させる場合について説明すれば、介護施設１１におけるシステム管理者からの入力操作によりサーバー２１から構内ネットワーク４１を介して映像表示装置３１における個々のディスプレイ３３ａ付きのパーソナルコンピュータ３３やタブレット型モニタ３４やメガネ型ディスプレイ３５に対し、音声データ付きの個人別映像データや音声データ付きの近隣周辺映像データや音声データ付きの回想映像データが選択的に送られ、これらに対応する映像が音声とともに出力表示される。
【００３８】
この場合、ディスプレイ３３ａ付きのパーソナルコンピュータ３３やタブレット型モニタ３４やメガネ型ディスプレイ３５は、各被介護者の別にそのいずれかが用意されており、自らに用意されたディスプレイ３３ａ付きのパーソナルコンピュータ３３とタブレット型モニタ３４とメガネ型ディスプレイ３５とのいずれかを介して対応映像を音声とともに視聴することができる。
【００３９】
このとき、個々の被介護者は、例えばとなり同士が見えないように仕切で仕切るなどしてリラックスした状態で座りながら対応映像を音声とともに視聴することができることになる。特に、メガネ型ディスプレイ３５を用いる場合には、マッサージチェアやリクライニングシートなどのようなリラックスできるソファタイプのチェアに仰臥したリラックスした姿勢のもとで対応映像を音声とともに視聴できるようにするのが望ましい。
【００４０】
しかも、視聴される映像は、個々の被介護者の個人情報に基づく最適なコンテンツが個人別に選択され、個別に放映されることになるので、これを視聴する個々の被介護者の脳にも興味を伴った強い影響を与えて活性化させることができる。このような映像の提供は、被介護者の個人情報である出身地、年齢などとの関係で、年代別、地域別、映像カテゴリ別に選択して個々の被介護者の別に異なったものを用いて行われることになる。しかも、視聴された映像は、その都度、視聴履歴としてサーバー２１側に個々の被介護者別に保持され、次回の利用時における提供映像の選択データとして利用されることになる。これをより具体的に説明すると、地域としてを「大阪」を選べば、昭和３２年頃からの大阪に関連した映像がサーバー２１側からピックアップされ、昭和５０年初頭までの２０時間の映像中から選択されたニュース映画（１分間から１５分間の映像）の視聴が可能となる。しかも、この場合におけるニュース映像は、撮影年月日、地域、イベント、記念行事などの別に取材して取得されている記録であることから、個々の項目別に選び出すことができることになる。ここで行われる選択操作は、キーボードからの入力でも可能ではあるが、簡便な操作を志向する観点からはタッチパネル方式やマウスからの入力指示によるのが好ましい。
【００４１】
また、個々の被介護者に対しては、音と映像のほか、システム管理者側からの呼びかけ、例えば本人の名前を呼んだり、友人の名前と本人の名前とを呼んだり、家族の名前を含めて呼んだりすることにより、いつもとは違う臨場感を体感させることができる。この場合における声かけは、介護施設における介護者等の呼びかけの声を録音してサーバー２１に予め保持させておき、これを音声として出力させることで行ったり、文字データとしてサーバー２１に入力保持させ、これを音声データに変換して機械的に音声として出力させることで行ったりすることができる。
【００４２】
つまり、本考案によれば、被介護者の利用に供される介護施設１１内に設置されているサーバー２１と映像表示装置３１とが構内ネットワーク４１を介して相互に接続されているので、サーバー２１にデータベースとして保持させてある音声データ付きの個人別映像データと音声データ付きの近隣周辺映像データと音声データ付きの回想映像データとを、所望に応じて選択的に映像表示装置３１に出力させて被介護者に視聴させることができる。
【００４３】
このため、各被介護者は、映像表示装置３１に出力される音声付きの映像を視聴することで、自らの来し方を回想するなどして過去の記憶が刺激されてこれを再生させたり活性化させたりすることができる。
【００４４】
しかも、被介護者が音声付き映像を視聴している間は、介護者も介護作業から開放されて他の作業に従事したり休息をとったりすることができるので、作業効率を高めたり、身体的・精神的な負担を軽減することができる。
【００４５】
また、構内ネットワーク４１をワイヤレス構内ネットワーク４２により構築してある場合には、映像受像装置３１を介護施設１１内の所望に応じた適宜の場所に移動して自由に設置することができるので、それだけ利便性を高めることができる。
【００４６】
しかも、映像表示装置３１としては、テレビジョン受像機３２、ディスプレイ３３ａ付きのパーソナルコンピュータ３３、タブレット型モニタ３４およびメガネ型ディスプレイ３５のいずれかを用いることができるので、被介護者の具体的状況に応じた最適な視聴環境を提供することができる。
【００４７】
しかも、グループ回想法と個人回想法とのいずれかの回想手法に応じて、テレビジョン受像機３２による集団視聴ができたり、パーソナルコンピュータ３３とタブレット型モニタ３４とメガネ型ディスプレイ３５との別での個別視聴ができるので、被介護者の症状や所望に応じたよりきめ細かなサービスを提供することができる。
【００４８】
また、言語的コミュニケーションが可能な軽度から中程度までの認知症患者、特に介護施設１１内でデイサービスを受け得る軽度な認知症高齢者を被介護者とすることで、回想法による記憶への刺激も効果的に与えることができるので、各被介護者の記憶の再生や活性化をより確実に図ることができる。
【符号の説明】
【００４９】
１１  介護施設
２１  サーバー
３１  映像表示装置
３２  テレビジョン受像機
３３  パーソナルコンピュータ
３３ａ  ディスプレイ
３４  タブレット型モニタ
３５  メガネ型ディスプレイ
４１  構内ネットワーク
４２  無線構内ネットワーク
４３  ルータ
【図１】
0003172100.tif 000003